(57)【要約】【課題】ペン先上向き状態またはペン先下向き状態にした際に、リブとリブとの間のインキタンク内壁にインキが殆ど残留せず、インキタンク内のインキ残量を外部より容易に視認できる直液式筆記具を提供する。【解決手段】本発明の直液式筆記具１は、透明または半透明の材料からなるインキタンク８の内部にインキを直接収容し、前記インキタンク８の内壁に軸方向に延びる複数本のリブ８１を突出形成し、前記インキタンク８内のインキを外部より視認可能に構成される。各々のリブ８１とインキタンク８内壁との接続隅部に軸方向に延びる毛細管溝８２を形成する。毛細管溝８２を両側に備えた、リブ８１とリブ８１との間の円周面状のインキタンク８内壁の円周方向の幅Ｗを２ｍｍ〜５ｍｍに設定する。【選択図】  図３
2008074082.tif 000002
【特許請求の範囲】
【請求項１】
透明または半透明の材料からなるインキタンクの内部にインキを直接収容し、前記インキタンクの内壁に軸方向に延びる複数本のリブを突出形成し、前記インキタンク内のインキを外部より視認可能に構成した直液式筆記具であって、前記各々のリブとインキタンク内壁との接続隅部に軸方向に延びる毛細管溝を形成し、前記毛細管溝を両側に備えた、リブとリブとの間の円周面状のインキタンク内壁の円周方向の幅を２ｍｍ〜５ｍｍに設定したことを特徴とする直液式筆記具。
【請求項２】
前記インキタンクのリブを有する部分の内径が１０ｍｍ以上である請求項１記載の直液式筆記具。
【請求項３】
前記インキタンク内に収容するインキが有機溶剤を主溶剤とする油性インキである請求項1または２記載の直液式筆記具。
【請求項４】
インキタンク内壁の底部に放射状に延びる複数本のリブを突出形成し、前記放射状のリブと前記軸方向に延びるリブとを接続してなる請求項１乃至３のいずれかに記載の直液式筆記具。
【発明の詳細な説明】
【技術分野】
【０００１】
本発明は、透明または半透明の材料からなるインキタンク内にインキを直接収容し、前記インキタンク内のインキを外部より視認可能に構成した直液式筆記具に関する。尚、本発明において、「前」とはペン先側を指し、「後」とはインキタンク側を指す。
【背景技術】
【０００２】
従来、この種の直液式筆記具において、例えば、特許文献１には、インキタンクの内面に２本または３本のリブを設けた構成が開示されている。
【特許文献１】実用新案登録第２５９３６７２号公報
【発明の開示】
【発明が解決しようとする課題】
【０００３】
前記従来の直液式筆記具は、ペン先上向き状態またはペン先下向き状態にした際、インキタンク内壁に沿ってインキが迅速に下降せず、リブとリブとの間の円周面状のインキタンク内壁にインキが残留し、外部よりインキタンク内のインキ残量を確認することが困難となるおそれがある。特に、インキとして油性インキを採用した場合、油性インキは一般に表面張力が低く、インキタンク内壁に残留しやすくなる。
【０００４】
本発明は前記従来の問題点を解決するものであって、ペン先上向き状態またはペン先下向き状態にした際に、リブとリブとの間のインキタンク内壁にインキが殆ど残留せず、インキタンク内のインキ残量を外部より容易に視認できる直液式筆記具を提供しようとするものである。
【課題を解決するための手段】
【０００５】
本願の第１の発明は、透明または半透明の材料からなるインキタンク８の内部にインキを直接収容し、前記インキタンク８の内壁に軸方向に延びる複数本のリブ８１を突出形成し、前記インキタンク８内のインキを外部より視認可能に構成した直液式筆記具であって、前記各々のリブ８１とインキタンク８内壁との接続隅部に軸方向に延びる毛細管溝８２を形成し、前記毛細管溝８２を両側に備えた、リブ８１とリブ８１との間の円周面状のインキタンク８内壁の円周方向の幅Ｗを２ｍｍ〜５ｍｍに設定したことを要件とする。
【０００６】
前記第１の発明の直液式筆記具１は、前記各々のリブ８１とインキタンク８内壁との接続隅部に軸方向に延びる毛細管溝８２を形成し、前記毛細管溝８２を両側に備えた、リブ８１とリブ８１との間の円周面状のインキタンク８内壁の円周方向の幅Ｗを２ｍｍ〜５ｍｍに設定したことにより、ペン先２を上向き状態または下向き状態にしたとき、インキタンク８内のインキが毛細管溝８２に沿って下降し、リブ８１とリブ８１との間の円周面状のインキタンク８内壁に付着したインキが、両側の毛細管溝８２によってリブ８１の方向に引き寄せられ、前記リブ８１とリブ８１との間の円周面状のインキタンク８内壁からインキが迅速に除去され、前記リブ８１とリブ８１との間の円周面状のインキタンク８内壁を通してインキタンク８内のインキ残量を容易に視認することができる。
【０００７】
前記リブ８１とリブ８１との間の円周面状のインキタンク８内壁の円周方向の幅Ｗが、２ｍｍ（ミリメートル）より小さい場合、リブ８１の本数が過度に多くなり、インキ残量を視認するための前記リブ８１間の円周面状のインキタンク８内壁の面積が小さくなるため、インキ残量の外部からの視認性が低下する。逆に、前記リブ８１間の円周面状のインキタンク８内壁の円周方向の幅Ｗが、５ｍｍ（ミリメートル）より大きい場合、ペン先２を上向き状態または下向き状態にしたとき、前記従来技術と同様、前記リブ８１間の円周面状のインキタンク８内壁にインキが残留しやすくなり、外部よりインキタンク８内のインキ残量を視認することが困難となる。
【０００８】
前記リブ８１の円周方向の厚さＴは、１ｍｍ以下が好ましく、それにより、リブ８１間の円周面状のインキタンク８内壁の総面積をできるだけ大きくでき、インキ視認性の向上に有利となる。前記リブ８１の径方向の高さＨは、１ｍｍ以下が好ましく、それにより、外部よりリブ８１を目立たなくできる。
【０００９】
本願の第２の発明は、前記第１の発明において、前記インキタンク８のリブ８１を有する部分の内径Ｄが１０ｍｍ以上（好ましくは１２ｍｍ以上）であることを要件とする。前記第２の発明の直液式筆記具は、インキタンク８を外部より視認した場合、視認可能な、前記リブ８１間の円周面状のインキタンク８内壁が増加し、より一層容易なインキ残量の視認が可能となる。尚、前記インキタンク８のリブ８１を有する部分の内径Ｄとは、リブ８１を除いた部分で測定する。
【００１０】
尚、前記直液式筆記具１において、前記リブ８１の本数は、前記構成１と構成２を同時に満足するには、１０本〜１５本に設定することが好ましい。
【００１１】
本願の第３の発明は、前記第１または第２の発明において、前記インキタンク８内に収容するインキが有機溶剤を主溶剤とする油性インキであることを要件とする。前記油性インキは、一般に表面張力が低く、前記リブ８１とリブ８１との間の円周面状のインキタンク８内壁に残留しやすいが、前記第３の発明の直液式筆記具１は、前記第１、第２の発明と相まって、インキ残量を容易に視認可能な、油性インキを収容した直液式筆記具となる。
【００１２】
本願の第４の発明は、前記第１、第２、または第３の発明において、インキタンク８内壁の底部に放射状に延びる複数本のリブ８３を突出形成し、前記放射状のリブ８３と前記軸方向に延びるリブ８１とを接続してなることを要件とする。
【００１３】
前記第４の発明の直液式筆記具は、ペン先を下向き状態にしたとき、インキタンク８内壁の底部に付着したインキが、底部の放射状のリブ８３に沿って径方向外方に移動し、さらに、軸方向に延びるリブ８１に沿って下降するため、インキタンク８の底部にインキが残留することを回避でき、インキ残量の視認性が向上する。尚、インキタンク８内壁の底部とは、インキタンク８内壁の後端の閉塞された側を指す。
【発明の効果】
【００１４】
本発明の直液式筆記具は、ペン先上向き状態またはペン先下向き状態にした際、リブとリブとの間のインキタンク内壁にインキが殆ど残留せず、インキタンク内のインキ残量を外部より容易に視認できる。
【発明を実施するための最良の形態】
【００１５】
（第１の実施の形態）
本発明の直液式筆記具１の第１の実施の形態を図１乃至図４に示す。
本実施の形態の直液式筆記具１は、ペン先２と、前記ペン先２の後端に接続されるインキ吸蔵体３と、前記インキ吸蔵体３の後方に配置される中間部材７と、前記中間部材７の後方に交換可能に配置されるインキタンク８と、前端部で前記ペン先２を保持し且つ内部に前記インキ吸蔵体３、前記中間部材７、及び前記インキタンク８の３部品を収容する軸筒４とからなる。
【００１６】
・ペン先
前記ペン先２は、合成樹脂製繊維（例えば、ポリエステル繊維、アクリル繊維、ナイロン繊維等）の樹脂加工により得られる棒状体である。前記ペン先２の前端は、砲弾状に研削される。前記ペン先２の後端部外周面は、テーパ状に面取りされる。
【００１７】
・インキ吸蔵体
前記インキ吸蔵体３は、円柱状の合成樹脂製繊維（例えば、ポリエステル繊維）の加工体よりなる。前記インキ吸蔵体３の前端面の軸心にペン先２の後端が突き刺し挿入され、前記ペン先２の後端が前記インキ吸蔵体３の内部に位置される。前記インキ吸蔵体３は、ペン先２とインキタンク８との間に配置され、インキタンク８の内圧上昇に応じた溢出インキを一時的に保持するインキ保溜部材である。尚、本発明で、前記インキ吸蔵体３を設ける代わりに、ペン先２とインキタンク８との間に、インキタンク８の内圧上昇に応じた溢出インキを一時的に保持する櫛歯状のインキ保溜部材を設けてもよい。
【００１８】
・軸筒
前記軸筒４は、前軸５と、該前軸５の後端開口部に着脱自在に螺着される後軸６とからなり、前軸５及び後軸６は、両者共に、合成樹脂（例えば、ポリプロピレン、ポリエチレン等）の射出成形により得られる筒状体である。
【００１９】
前記前軸５は、ペン先２の外周面を保持する先細部と、該先細部より後方に連設され、インキ吸蔵体３、隔壁７１、及びインキタンク８前部とを収容する本体部とからなる。
【００２０】
・後軸
前記後軸６は、前端が開口され且つ後端が閉鎖された有底筒状体であり、前記後軸６の前端開口部が前記前軸５の後端開口部に螺着されると、前記後軸６内部にインキタンク８の後部が収容される。前記後軸６は、透明または半透明の合成樹脂（例えばポリプロピレン）の射出成形により得られる。前記後軸６を通して外部よりインキタンク８（即ちインキタンク８後部）を視認できる。
【００２１】
インキタンク８交換時、前記後軸６を前軸５の後端部から螺着状態を緩めて取り外し、前記インキタンク８を取り外した後、新たなインキタンク８を前軸５内に挿入するとともに、後軸６を前軸５後端部に再び螺合する。前記後軸６と前軸５後端部とを螺着する過程で、インキタンク８の後端と後軸６の後端壁内面とが当接し、後軸６と前軸５とのネジ締めによりインキタンク８が軸筒４内に押圧され、インキタンク８の前端開口部が開栓される。
【００２２】
・中間部材
前記中間部材７は、合成樹脂（例えば、ポリプロピレン、ポリエチレン等）の射出成形より得られる。前記中間部材７は、軸筒４内のインキ吸蔵体収容部とインキタンク８とを区画する隔壁７１と、前記隔壁７１の前面より前方に突出され且つインキ吸蔵体３の内部に突き刺し接続される複数本（具体的には２本）の連通管７２と、前記隔壁７１の後面より後方に突出され且つインキタンク８の前端開口部に挿着される接続管７３と、前記隔壁７１より前方または後方に突出され且つ軸筒４の内面（本体部５２の内面）に固着される取付筒部７４とを備える。軸筒４内及び隔壁７１によって形成される空間（即ち吸蔵体収容部）に、インキ吸蔵体３が収容される。前記取付筒部７４は、連通管７２の基部外周または接続管７３の基部外周を包囲している。前記接続管７３には栓体９の片側を押圧するための突片７３ａが一体に形成される。前記隔壁７１は円板状であり、前記各々の連通管７２、前記接続管７３、及び前記取付筒部７４は、円筒状である。
【００２３】
前記中間部材７において、隔壁７１、連通管７２、接続管７３、及び取付筒部７４は一体に連設される（即ち一体に形成される）。即ち、中間部材７により、隔壁７１、連通管７２、接続管７３、及び取付筒部７４を１部品で構成できる。
【００２４】
前記連通管７２の各々の内部には、軸方向に流通路７２ａが設けられ、前記流通路７２ａが、前記連通管７２の各々の両端にて開口される。前記連通管７２の各々の前端は、インキ吸蔵体３の内部に開口され、前記連通管７２の各々の後端は、隔壁７１の後端より後方へインキタンク８内に開口される。前記各々の連通管７２は、インキ吸蔵体３とインキタンク８との間に並列に配置されるため、インキ吸蔵体３と、その後方のインキタンク８との間に、独立した複数本の流通路７２ａが並列に設けられる。
【００２５】
・インキタンク
前記インキタンク８は、前端が開口し且つ後端が閉鎖された有底の円筒体であり、透明または半透明の合成樹脂（例えばポリプロピレン）の射出成形またはブロー成形により得られる。前記インキタンク８のリブ８１を有する部分の内径Ｄは、１３ｍｍ〜１５ｍｍに設定される。前記インキタンク８内には、直にインキが貯溜される。前記インキタンク８内に貯溜されるインキは、筆記具用インキまたは塗布液（例えば、化粧液、修正液、接着剤、塗料、液体医薬品等）が適宜採用される。前記インキは、有機溶剤を主溶剤とする油性インキ（即ち油性の筆記具用インキまたは油性の塗布液）または水を主溶剤とする水性インキが採用される。開栓前において、インキタンク８の前端開口部には、栓体９が嵌着され、インキタンク８内が閉鎖されている。ここでは、栓体９として、合成樹脂（例えばポリプロピレン）の射出成形体よりなる円板状の栓体９が採用される。尚、前記円板状の栓体９の代わりに球状の栓体９を採用することもできる。
【００２６】
前記インキタンク８の前端開口部内面は、中間部材７の接続管７３外面が着脱自在に嵌着される。前記インキタンク８のインキが消費され筆記不能となった場合、前記インキタンク８を接続管７３から取り外し、内部にインキが充填された新たなインキタンク８の前端開口部に接続管７３を挿着する。それにより、再び、筆記可能となる。前記新たなインキタンク８の前端開口部は、栓体９により閉鎖されている。接続管７３をインキタンク８の前端開口部に挿着した際、前記栓体９が接続管７３の突片７３ａにより後方に押圧され、それにより、栓体９が外され、インキタンク８の前端開口部が開栓される。
【００２７】
・リブ
前記インキタンク８の後部内壁には、軸方向に延びる複数本（具体的には１２本）のリブ８１が等間隔に一体に突出形成される。前記各々のリブ８１とインキタンク８内壁との接続隅部には、軸方向に延びる横断面Ｖ字状の毛細管溝８２が形成される。前記リブ８１とリブ８１の間の各々には、前記毛細管溝８２を周方向の両側に有する円周面状のインキタンク８内壁が形成される。前記リブ８１とリブ８１との間の円周面状のインキタンク８内壁の円周方向の幅Ｗの各々は、３ｍｍに設定されている。前記各々のリブ８１は、少なくとも、後軸６を通して外部より視認可能なインキタンク８の後端部の領域に形成される。
【００２８】
前記各々のリブ８１の径方向の高さＨは、０．４ｍｍに設定される。前記各々のリブ８１の円周方向の厚さＴは０．７ｍｍに設定される。前記各々のリブ８１の両側壁のなす角度αは５０度に設定される。前記各々のリブ８１の頂部はＲ曲面となっている。
【００２９】
本実施の形態の直液式筆記具１を、インキ残量を視認する際、ペン先上向き状態またはペン先下向き状態にすると、インキタンク８内のインキが、インキタンク８内壁の毛細管溝８２に集められながら下降する。そのため、リブ８１とリブ８１との間の円周面状のインキタンク８内壁に付着したインキが迅速に除去でき、前記リブ８１間の円周面状のインキタンク８内壁及び後軸６を通して、外部よりインキタンク８内のインキ残量を容易に視認することができる。
【００３０】
（第２の実施の形態）
本発明の直液式筆記具１の第２の実施の形態を図５乃至図８に示す。
インキタンク８底部内壁（インキタンク８の後端壁の内面）には、インキタンク８の中心部から径方向外方に放射状に延びる複数本（具体的には１２本）のリブ８３が一体に突出形成される。前記放射状に延びる各々のリブ８３とインキタンク８の底部内壁との接続隅部には、径方向外方に放射状に延びる横断面Ｖ字状の毛細管溝が形成される。前記放射状のリブ８３の各々は、インキタンク８内壁に突出形成した軸方向に延びる複数本のリブ８１と接続される（一体に連設される）。それにより、インキタンク８の底部内壁の放射状の毛細管溝の各々が、インキタンク８の内壁の軸方向に延びる毛細管溝８２と接続される。本実施の形態では、前記放射状のリブ８３の本数と軸方向のリブ８１の本数は一致している。これ以外にも、前記放射状のリブ８３の本数と軸方向のリブ８１の本数は、一致しなくてもよく、少なくとも、放射状のリブ８３の各々の径方向外端部が軸方向に延びる複数本のリブ８１と接続されていればよい。
【００３１】
前記第１の実施の形態のインキタンク８の内壁の底部は略平面状になっている。そのため、ペン先下向き状態にした際、インキタンク８の内壁の底部にインキが付着・残留しやすい。しかし、前記第２の実施の形態のインキタンク８内壁の底部は略平面状になっていても、軸方向のリブ８１と接続された放射状のリブ８３が形成されているため、ペン先下向き状態にした際、インキタンク８の内壁の底部にインキが付着・残留することを回避でき、インキタンク８の底部側からでも容易にインキタンク８内を視認できる。
【００３２】
前記放射状のリブ８３の各々の断面形状は、第１の実施の形態（図４参照）で説明した軸方向のリブ８１の各々の断面形状と同様である。
【００３３】
尚、前記第２の実施の形態の他の構成は、第１の実施の形態と共通であるため、説明を省略する。
【図面の簡単な説明】
【００３４】
【図１】本発明の第１の実施の形態の直液式筆記具を示す縦断面図である。
【図２】図１の閉栓状態のインキタンクの縦断面図である。
【図３】図２のＡ−Ａ線断面図である。
【図４】図３の要部拡大断面図である。
【図５】本発明の第２の実施の形態の直液式筆記具を示す縦断面図である。
【図６】図５の閉栓状態のインキタンクの縦断面図である。
【図７】図６のＢ−Ｂ線断面図である。
【図８】図６のＣ−Ｃ線矢視断面図である。
【符号の説明】
【００３５】
１  直液式筆記具
２  ペン先
３  インキ吸蔵体
４  軸筒
５  前軸
６  後軸
７  中間部材
７１  隔壁
７２  連通管
７２ａ  流通路
７３  接続管
７３ａ  突片
７４  取付筒部
８  インキタンク
８１  リブ
８２  毛細管溝
８３  リブ
９  栓体
Ｗ  リブ間の円周面状のインキタンク内壁の円周方向の幅
Ｄ  インキタンクのリブを有する部分の内径
Ｈ  リブの径方向の高さ
Ｔ  リブの円周方向の厚さ
α  リブの両側壁のなす角度
【図１】
2008074082.tif 000003
【図２】
2008074082.tif 000004
【図３】
2008074082.tif 000005
【図４】
2008074082.tif 000006
【図５】
2008074082.tif 000007
【図６】
2008074082.tif 000008
【図７】
2008074082.tif 000009
【図８】
2008074082.tif 000010